(57)【要約】【課題】  本発明は、従来物の欠点を解消した実用性の高い物干し用ピンチを提供し、洗濯物の厚さに関係なく簡単かつ確実に乾燥させることを目的とする。【解決手段】  本発明は、左右対称の一体に成り所定の巾厚さを有するアーム部２，２を設けた吊り具体１の両アーム部の内側奥部３を真円凹形状に形成するとともにこれにつづく開口部４の内側部４’，４’を逆円内凸形状に形成し、前記両アーム部間の開口部の内側部には外側上部に壁部を残して凹溝部を形成し、この凹溝部の下端部間に支持部９，９と摘み部１０，１０から成るハの字状に対向するレバー７，７を摘み部側に偏心して枢着し、この枢着部には線状弾機を懸架して前記レバー内部に介装し、前記レバーの支持部の内端部１２，１２の下端部にはギヤ部１３，１３を設け、前記吊り具体の中央部に掛止突起１４を設けて成るものである。【選択図】    図１
2012125446.tif 000002
【特許請求の範囲】
【請求項１】
左右対称の一体に成り所定の巾厚さを有するアーム部を設けた吊り具体の両アーム部の内側奥部を真円凹形状に形成するとともにこれにつづく開口部の内側部を逆円内凸形状に形成し、前記両アーム部間の開口部の内側部には外側上部に壁部を残して凹溝部を形成し、この凹溝部の下端部間に支持部と摘み部から成るハの字状に対向するレバーを摘み部側に偏心して枢着し、この枢着部には線状弾機を懸架して前記レバー内部に介装し、前記レバーの支持部の内端部の下端部にはギヤ部を設け、前記吊り具体の中央部に掛止突起を設けて成ることを特徴とする物干しピンチ。
【発明の詳細な説明】
【技術分野】
【０００１】
本発明は、簡易な物干し用ピンチに関するものである。
【背景技術】
【０００２】
従来、一般家庭用に使用されている物干し用のピンチは比較的小型のものを多数使って、大きな洗濯物を干すという方法をとっていたため、利便性に欠けていたことから、例えば次のような技術が公知となっていた。
【先行技術文献】
【特許文献】
【０００３】
【特許文献１】実開昭５５−１５９０９０号公報
【特許文献２】特許第４０５６００３号公報
【特許文献３】特開２００６−１０２０２１号公報
【０００４】
しかしながら、特許文献１は、洗濯物を干すために、第３図に示すように左右の爪材の内端部間に挿入して持ち上げることはできても、その後の吊り掛け状態の維持が専ら弾機に依存するため、弾発力が弱体化すると、干し物の抑止力が喪失して脱落する欠点があるものである。
【０００５】
特許文献２は、被吊り下げ物脱着用の左右フックは弾機によって開閉作動するが、このようなフック材では薄物は保持できても厚物の吊り下げには保持力を発揮できない欠点がある。
【０００６】
特許文献３は、構造が比較的複雑であるが、薄物は吊り下げ保持ができても、厚物を吊り下げ保持できる構造にはなっていない欠点がある。
【発明の概要】
【発明が解決しようとする課題】
【０００７】
そこで、本発明にあっては、従来物のこれらの欠点を解消した実用性の高い洗濯物干し器を提供し、洗濯物の厚さに関係なく簡単かつ確実に乾燥させることを目的とするものである。
【課題を解決するための手段】
【０００８】
本発明は、左右対称の一体に成り所定の巾厚さを有するアーム部を設けた吊り具体の両アーム部の内側奥部を真円凹形状に形成するとともにこれにつづく開口部の内側部を逆円内凸形状に形成し、前記両アーム部間の開口部の内側部には外側上部に壁部を残して凹溝部を形成し、この凹溝部の下端部間に支持部と摘み部から成るハの字状に対向するレバーを摘み部側に偏心して枢着し、この枢着部には線状弾機を懸架して前記レバー内部に介装し、前記レバーの支持部の内端部の下端部にはギヤ部を設け、前記吊り具体の中央部に掛止突起を設けて成るものである。
【発明の効果】
【０００９】
第１に、吊り具体の両アーム部によって形成される内側奥部は真円凹形状に成るから、両アーム部の開口部の内側部が逆円内凸形状に成りかつ両レバーの支持部の内端部による加圧抑止力が作用しても、比較的厚い洗濯物の挿入であっても十分広いスペースを有して支持されるようになる。
【００１０】
第２に、両レバーの対向角度は開閉作動を円滑に行うことができ、かつその内側部下端部にはギヤ部を設けていることによって洗濯物を摩擦しかつ洗濯物の自重で洗濯物を挟み込む力に変換することができる。
【００１１】
第３に、乾燥済みの洗濯物を取り外すときは、摘み部に片手の両指先をかけてこれを押下すれば、簡単に取り去ることができる。
【図面の簡単な説明】
【００１２】
【図１】吊り具本体の斜視図
【図２】本体の正面図
【図３】本体の側面図
【図４】本体の平面図
【図５】図３Ａ−Ａ線断面図
【図６】図２Ｂ−Ｂ線断面図
【図７】物干器全体の状態図
【発明を実施するための形態】
【００１３】
いまポールに掛け止めるハンガー体の支杆に任意間隔をおいて掛けてある本吊り具体に、各種の洗濯物を取り付けるときは、比較的薄物の場合は、片手で洗濯物を把持しハの字状に相対して接しているレバー間に挿入すると、レバーは両弾機の弾発力に抗して開口し、洗濯物を挟み合うことになるから、手を離せば両弾機の弾発力の戻りによって両レバーの両支持部の内端部は、挿入された洗濯物を両側面方向から抑止するようになる。
【００１４】
また、比較的厚物の場合は、両レバーの上端部間を広く開けるため、レバーの摘み部を２本の指先によって下動して大きく開口するが、このとき支持部は両アーム部の凹溝部に嵌挿する状態になる。したがって、このような開口状態において厚物の上部分を挿入し両アーム部の内側奥部に収容した後、指先を離せば、レバー支持部の下端部のギヤ部が自重で垂れ下がる洗濯物に噛み込むように抑止するから、比較的大きな厚物の洗濯物でも余裕をもって掛け止められるようになる。
【００１５】
洗濯物の乾燥後は、レバーの支持部と一体に外方に延びている摘み部に２本の指先を掛けて下動すれば開口するから、直ちに取り去ることができるようになる。
【実施例】
【００１６】
１は正面視左右対称の一体に成り、所定の巾厚さを有するアーム部２，２を設けた吊り具体で、この吊り具体の両アーム部２，２の内側奥部３は真円凹形状に成り、この内側奥部につづく下側方の開口部４の内側部４’，４’は逆円内凸形状に成る。
【００１７】
５，５は前記吊り具体１の両アーム部２，２間の開口部４の内側部４’，４’に形成した凹溝部で、この凹溝部の容積は回動する後記レバー７，７の上側部が接離する広さに成る。
【００１８】
６，６は前記両アーム部２，２の凹溝部５，５の外側上部に形成した壁部で、前記凹溝部はこの壁部を有する構成となる。
【００１９】
７，７は前記両アーム部２，２の凹溝部５，５の下端部間に架設した支軸８，８に枢着したレバーで、このレバーの形状は支軸をはさんで支持部９，９と摘み部１０，１０とに分かれるが、前記枢着部の位置は摘み部１０，１０寄りにあり、支持部９，９の内端部１２，１２は不使用時にはハの字状に接している。また、前記支持部９，９の高さと巾厚は前記両アーム部２，２の凹溝部５，５内に接離できる大きさに成るが、摘み部１０，１０の高さと巾厚は指先が係る大きさに成るため比較的薄厚巾の弯曲形状に成る。
【００２０】
１１，１１は前記両アーム部２，２の凹溝部５，５の端部におけるレバー７，７の偏心した支軸８，８に懸架した線状弾機で、この弾機の上端部を前記凹溝部の壁部６，６に，下端部を支持部９，９の先端部に止着する。
【００２１】
１２，１２は前記レバー支持部９，９の内端部で、この内端部は互いに不使用時にはハの字状に接しているが、その下端部には静止時に噛み合うギヤ部１３，１３を設けている。
【００２２】
１４は前記吊り具体１の中央部に設けた掛止突起で、この掛止突起は任意形態に成る後記ハンガー体１５の被掛止部１８・に係合する。
【００２３】
１５はハンガー体で、このハンガー体はポールへの架け止め部１６とこの架け止め部と一体に構成する水平の支杆部１７から成り、この支杆部の被掛止部１８・には前記吊り具体１の掛止突起１４が挿入し懸架される。
【符号の説明】
【００２４】
１                    吊り具体
２，２                アーム部
３                    内側奥部
４                    開口部
４’，４’            内側部
５，５                凹溝部
６，６                壁部
７，７                レバー
８，８                支軸
９，９                支持部
１０，１０            摘み部
１１，１１            線状弾機
１２，１２            内端部
１３，１３            ギヤ部
１４                  掛止突起
１５                  ハンガー体
１６                  架け止め部
１７                  支杆部
１８・                被掛止部
【図１】
2012125446.tif 000003
【図２】
2012125446.tif 000004
【図３】
2012125446.tif 000005
【図４】
2012125446.tif 000006
【図５】
2012125446.tif 000007
【図６】
2012125446.tif 000008
【図７】
2012125446.tif 000009
【手続補正書】
【提出日】平成24年2月13日(2012.2.13)
【手続補正１】
【補正対象書類名】明細書
【補正対象項目名】全文
【補正方法】変更
【補正の内容】
【発明の詳細な説明】
【技術分野】
【０００１】
本発明は、簡易な物干し用ピンチに関するものである。
【背景技術】
【０００２】
従来、一般家庭用に使用されている物干し用のピンチは比較的小型のものを多数使って、大きな洗濯物を干すという方法をとっていたため、利便性に欠けていたことから、例えば次のような技術が公知となっていた。
【先行技術文献】
【特許文献】
【０００３】
【特許文献１】実開昭５５−１５９０９０号公報
【特許文献２】特許第４０５６００３号公報
【特許文献３】特開２００６−１０２０２１号公報
【０００４】
しかしながら、特許文献１は、洗濯物を干すために、第３図に示すように、左右の爪材の内端部間に挿入して持ち上げることはできても、その後の吊り掛け状態の維持が専ら弾機に依存するものであるため、弾発力が弱体化すると、干し物の抑止力が喪失して脱落する欠点がある。
【０００５】
特許文献２は、被吊り下げ物脱着用の左右フックは弾機によって開閉作動するが、このようなフック材では薄物は保持できても厚物の吊り下げには確実な保持力を発揮できない欠点がある。
【０００６】
特許文献３は、構造が比較的複雑であるが、薄物は吊り下げ保持ができても、厚物を吊り下げ保持できる構造にはなっていない欠点がある。
【発明の概要】
【発明が解決しようとする課題】
【０００７】
そこで、本発明にあっては、従来物のこれらの欠点を解消した実用性の高い洗濯物干し器を提供し、洗濯物の厚さに関係なく簡単かつ確実に保持して乾燥させることを目的とするものである。
【課題を解決するための手段】
【０００８】
本発明は、左右対称の一体に成り所定の巾厚さを有するアーム部を設けた吊り具体の両アーム部の内側奥部を真円凹形状に形成し、これにつづく開口部の内側部を逆円内凸形状に形成し、前記両アーム部間の開口部の内側部には、外側上部に壁部を残して深い凹溝部を形成し、この凹溝部の下端部間には支持部と摘み部を設けてハの字状に対向するレバーを、摘み部側に偏心して両アーム部の前記凹溝部の下端部に設けた支軸に各枢着して設け、弾機を介して垂直ないし水平に開閉作動し得るようにした前記レバーを、垂直時には前記凹溝部内部に収納し、水平時には互にレバーの内端部間に洗濯物を挟み込む状態にし、前記レバーの支持部の内端面部の下端部にはギヤ部を設け、前記吊り具体の中央部には掛止突部を設けて成るものである。
【発明の効果】
【０００９】
第１に、吊り具体の両アーム部によって形成される内側奥部は真円凹形状に成るから、両アーム部の開口部の内側部が逆円内凸形状に成りかつ両レバーの支持部の内端部による加圧抑止力が作用するようになっても、比較的厚い洗濯物が挿入されても十分広いスペースを有して支持されるようになる。
【００１０】
第２に、左右両レバーの相対する水平角度は開閉作動が常に円滑に行われるようになり、かつ両レバーの内側部下端部にはギヤ部を設けているから、洗濯物を摩擦しかつ洗濯物の自重で洗濯物を挟み込む力に変換することができる。
【００１１】
第３に、乾燥済みの洗濯物を取り外すときは、摘み部に片手の両指先をかけてこれを押下すれば、簡単に取り去ることができるようになる。
【図面の簡単な説明】
【００１２】
【図１】吊り具本体の斜視図
【図２】本体の正面図
【図３】本体の側面図
【図４】本体の平面図
【図５】図３Ａ−Ａ線断面図
【図６】図２Ｂ−Ｂ線断面図
【図７】物干器全体の状態図
【発明を実施するための形態】
【００１３】
いまポールに掛け止めるハンガー体の支杆に任意間隔をおいて掛けてある本吊り具体に、各種の洗濯物を取り付けるときは、比較的薄物の場合は、片手で洗濯物を把持し、ハの字状に相対して接しているレバー間に挿入すると、レバーは両弾機の弾発力に抗して開口し、洗濯物を挟み合うことになるから、手を離せば両弾機の弾発力の戻りによって、両レバーの両支持部の内端部は、挿入された洗濯物を両側面方向から抑止する。
【００１４】
また、比較的厚物の場合は、両レバーの上端部間を広く開けるため、レバーの摘み部を２本の指先によって下動して大きく開口するが、このとき支持部は両アーム部の深い凹溝部の内部に収納するようになる。したがって、このような開口状態において、厚物の上部分を挿入し、両アーム部の凹溝部の内側奥部に収納した後、指先を離せば、レバー支持部の下端部のギヤ部が、自重で垂れ下がろうとする洗濯物に噛み込むように抑止するから、比較的大きな厚物の洗濯物でも余裕をもって確実に掛け止められるようになる。
【００１５】
洗濯物の乾燥後は、レバーの支持部と一体に外方に延びている摘み部に、２本の指先を掛けて下動すれば開口するから、直ちに取り去ることができるようになる。
【実施例】
【００１６】
１は正面視左右対称の一体に成り、所定の巾厚さを有するアーム部２，２を設けた吊り具体で、この吊り具体の両アーム部２，２の内側奥部３は真円凹形状に成り、この内側奥部につづく下側方の開口部４の内側部４’，４’は逆円内凸形状に成る。
【００１７】
５，５は前記吊り具体１の両アーム部２，２間の開口部４の内側部４’，４’に形成した凹溝部で、この凹溝部の容積は回動する後記レバー７，７の上側部が収納する深さに成る。
【００１８】
６，６は前記両アーム部２，２の深い凹溝部５，５の外側上部に形成した壁部で、前記凹溝部はこの壁部を有する構成となる。
【００１９】
７，７は前記両アーム部２，２の深い凹溝部５，５の下端部に設けた支軸８，８に枢着するレバーで、このレバーの形状は支軸をはさんで支持部９，９と摘み部１０，１０とに分かれる。前記支軸８，８の枢着部の位置は摘み部１０，１０寄りに偏心してあり、支持部９，９の内端部１２，１２は不使用時にはハの字状に互いに接している。また、前記支持部９，９の高さと巾厚は、前記両アーム部２，２の深い凹溝部５，５内部に接離できる大きさに成るが、摘み部１０，１０の高さと巾厚は、指先がかかる大きさに成るため、比較的薄厚巾の弯曲形状に成る。
【００２０】
１１，１１は前記両アーム部２，２の深い凹溝部５，５の下端部に枢着するレバー７，７の偏心した支軸８，８に介装した弾機である。
【００２１】
１２，１２は前記レバー支持部９，９の内端部で、この内端部は互いに不使用時にはハの字状に接しているが、その下端部には静止時に噛み合うギヤ部１３，１３を設けている。
【００２２】
１４は前記吊り具体１の中央部に設けた掛止突部で、この掛止突部は任意形態に成る後記ハンガー体１５の被掛止部１８・に掛止めする。
【００２３】
１５はハンガー体で、このハンガー体はポールへの掛止め部１６とこの掛止め部と一体に構成する水平の支杆部１７から成り、この支杆部の被掛止め部１８・には前記吊り具体１の掛止突部１４が挿入し懸架される。
【符号の説明】
【００２４】
１                    吊り具体
２，２                アーム部
３                    内側奥部
４                    開口部
４’，４’            内側部
５，５                凹溝部
６，６                壁部
７，７                レバー
８，８                支軸
９，９                支持部
１０，１０            摘み部
１１，１１            弾機
１２，１２            内端部
１３，１３            ギヤ部
１４                  掛止突部
１５                  ハンガー体
１６                  掛止め部
１７                  支杆部
１８・                被掛止め部
【手続補正２】
【補正対象書類名】特許請求の範囲
【補正対象項目名】全文
【補正方法】変更
【補正の内容】
【特許請求の範囲】
【請求項１】
左右対称の一体に成り所定の巾厚さを有するアーム部を設けた吊り具体の両アーム部の内側奥部を真円凹形状に形成し、これにつづく開口部の内側部を逆円内凸形状に形成し、前記両アーム部間の開口部の内側部には、外側上部に壁部を残して深い凹溝部を形成し、この凹溝部の下端部間には支持部と摘み部を設けてハの字状に対向するレバーを、摘み部側に偏心して両アーム部の前記凹溝部の下端部に設けた支軸に各枢着して設け、弾機を介して垂直ないし水平に開閉作動し得るようにした前記レバーを、垂直時には前記凹溝部内部に収納し、水平時には互にレバーの内端部間に洗濯物を挟み込む状態にし、前記レバーの支持部の内端面部の下端部にはギヤ部を設け、前記吊り具体の中央部には掛止突部を設けて成ることを特徴とする物干しピンチ。